(57)【特許請求の範囲】
【請求項１】
表面材と裏面材で芯材をサンドイッチした乾式壁材の凸状に変形した木口端部を、断面略コ字状のカバー空間を有し、乾式壁材の化粧面と接する当接片を有する端部材で被覆した構造において、垂直平面状の化粧面と、該化粧面の両端に形成した側面化粧面とからなるカバー部と、上端の側面化粧面の先端を上方に突出した係合片と、該係合片を外方に突出した係合爪とからなる係合部とから形成した端部カバーの係合部を、固定具を打設して平面とした乾式壁材の化粧面と端部材の当接片間に挿入し、当接片と係合爪を係合して、乾式壁材の上端を固定した固定具の頭部を隠蔽し、側面化粧面が乾式壁材の化粧面と常時弾性を発揮して一体化したことを特徴とする端部カバー構造。
【発明の詳細な説明】
【０００１】
【産業上の利用分野】
本発明は内、外装材として使用する乾式壁材の端部をカバーし、軒天、窓回り等の納めるための端部カバー構造に関するものである。
【０００２】
【従来の技術】
従来から使用されている端部をカバーする当接片Ｄ1 とカバー空間Ｄ2 を有する端部材Ｄの一例としては、図６に示すような当接片Ｃ1 と略断面コ字状のカバー空間Ｃ2 を有する止縁Ｃを、図１５に示すように壁下地α（木造下地、鉄骨下地、防水シート等、あるいは既存壁下地、等よりなる）と軒天γ間に固定具βにより施工し、乾式壁材Ｂの木口端部をカバーするものであった。
【０００３】
【発明が解決しようとする課題】
しかしながら、芯材として合成樹脂発泡体を使用した乾式壁材Ｂは経年変化により乾式壁材Ｂ自体が凸状に変形してしまうことが希にあった。このため、上記のような止縁Ｃを使用した壁は、乾式壁材Ｂが凸状に変形することにより、止縁Ｃの化粧面と乾式壁材Ｂの化粧面間に間隙ａが形成され、美感上問題が生じることもあった。その上、止縁Ｃと軒天γとの間の空隙ａから、雨水等が内部へと浸入してしまう欠点があった。さらに、乾式壁材Ｂを張り直す作業は非常に手間とコストがかかるものであった。
【０００４】
【課題を解決するための手段】
本発明はこのような欠点を除去するため、表面材と裏面材で芯材をサンドイッチした乾式壁材の凸状に変形した木口端部を、断面略コ字状のカバー空間を有し、乾式壁材の化粧面と接する当接片を有する端部材で被覆した構造において、垂直平面状の化粧面と、該化粧面の両端に形成した側面化粧面とからなるカバー部と、上端の側面化粧面の先端を上方に突出した係合片と、該係合片を外方に突出した係合爪とからなる係合部とから形成した端部カバーの係合部を、固定具を打設して平面とした乾式壁材の化粧面と端部材の当接片間に挿入し、当接片と係合爪を係合して、乾式壁材の上端を固定した固定具の頭部を隠蔽し、側面化粧面が乾式壁材の化粧面と常時弾性を発揮して一体化したことを特徴とする端部カバー構造を提供するものである。
【０００５】
【実施例】
以下に図面を用いて本発明に係る端部カバー構造の一実施例について詳細に説明する。すなわち、図１は本発明に係る端部カバー構造を軒天γに形成した一実施例を示す断面図、図２、図３は施工順序を示す断面図であり、既存の乾式壁材Ｂと既存の止縁Ｃ間に端部カバーＡを形成したものである。なお、Ｅはシーリング材である。
【０００６】
端部カバーＡは図４（ａ）、（ｂ）（（ａ）図のａ−ａ部断面図）に示すように、垂直平面状の化粧面１と、化粧面１の下端に形成した側面化粧面２と、側面化粧面２の先端を上方に突出した当接面３と、化粧面１の上端に形成した側面化粧面４とからなるカバー部１ａと、側面化粧面４の先端を上方に突出した係合片６と、係合片６の先端近傍を外方に突出した係合爪７とからなる係合部５とから形成したものである。その素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したものである。勿論、端部材Ｄ（止縁Ｃを含む）も上記端部カバーＡの素材より形成したものである。
【０００７】
さらに詳説すると、カバー部１ａは図１に示すように乾式壁材Ｂの上端を固定した固定具βの頭部β1 を隠蔽し、外部に固定具βが露出しないように形成したものである。また、側面化粧面２と側面化粧面４は施工後にスプリングバックが働くために、側面化粧面２が乾式壁材Ｂの化粧面８ａと弾性を介して接触し、常時化粧面８ａと接触するために間隙が形成されず、防水性、納まり（美感性）が向上するものである。
【０００８】
係合部５は図１に示すように、乾式壁材Ｂと止縁Ｃ間に挿入され、係合爪７を止縁Ｃの当接片Ｃ1 に係合することにより端部カバーＡを固定するものである。
【０００９】
また、係合爪７は図４（ｂ）に示すようにピッチＰで形成し、施工性、脱落防止を図ったものである。なお、ピッチＰは３０〜５００ｍｍ位である。このように、係合爪７を間隔を有して形成することにより、係合が楽で係合力が強化されるものである。
【００１０】
乾式壁材Ｂは図５（ａ）、（ｂ）（施工後の経時変化により凸状に変形した乾式壁材Ｂ）に示すように表面材８と裏面材９間に芯材１０を形成し、両端に雄型連結部１１と雌型連結部１２を形成したものであり、図７に示すように、固定具βの打設と、雄型連結部１１と雌型連結部１２を嵌合することにより乾式壁材Ｂを連結するものである。勿論、端部カバーＡは縦張りの乾式壁材Ｂ、横張りの乾式壁材Ｂの両方に使用できるものである。
【００１１】
表面材８、裏面材９は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したものである。
【００１２】
芯材１０は例えばポリウレタンフォーム、ポリイソシアヌレートフォーム、フェノールフォーム、塩化ビニルフォーム、ポリエチレンフォーム、ポリスチレンフォーム、ユリアフォーム、等の合成樹脂発泡体からなるものであり、例えばレゾール型フェノールの原液と、硬化剤、発泡剤を混合し、表面材８、もしくは裏面材９の裏面側に吐出させ、加熱して反応・発泡・硬化させて形成したものである。また、芯材１０中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、防火性を向上させることもできる。
【００１３】
さらに詳説すると、芯材１０は主に断熱材、防火材、接着剤、補強材、緩衝材、吸音材、嵩上材、軽量化材、等として機能するものである。勿論、芯材１０としてロックウール、グラスウール、セラミックウール等の無機材を使用しても良いものである。
【００１４】
次に、本発明に係る端部カバー構造の施工方法について簡単に説明する。まず、施工から何年も経ち、経時変化により図５（ｂ）に示すように変形してしまった乾式壁材Ｂが、図２、図１５に示すように縦張りで施工されており、軒天γ部分で図６に示すような止縁Ｃにより、乾式壁材Ｂの木口端部がカバーされた既存の壁体が有るとする。
【００１５】
この改修すべき壁体に対し、まず、乾式壁材Ｂ木口上端の化粧面８ａを平面（間隙ａを無くす）とするために、図３に示すように乾式壁材Ｂの上端部中央部分（一番凸状変形の大きい部分）を固定具βで打設し、化粧面８ａを平面とする。各乾式壁材Ｂへの固定具βの打設が完了したら、次に、図１に示すような端部カバーＡの係合部５を、図２に示すように乾式壁材Ｂの化粧面８ａと止縁Ｃの当接片Ｃ1 間に差し込み、当接片Ｃ1 に端部カバーＡの係合爪７を係合し施工を完了するものである。
【００１６】
【その他の実施例】
以上説明したのは本発明に係る端部カバー構造の一実施例にすぎず、端部カバーＡを図８（ａ）〜（ｈ）、乾式壁材Ｂを図９（ａ）〜（ｇ）に示すように形成することもできる。すなわち、図８（ａ）〜（ｈ）において、（ａ）〜（ｄ）図は係合爪７を連続状で形成した端部カバーＡ、特に（ｄ）図はアルミニウム合金、合成樹脂（プラスチック）等の押出品よりなる端部カバーＡ、（ｅ）図は側面化粧面２を水平に形成した端部カバーＡ、（ｆ）図は当接面３を除去した端部カバーＡ、（ｇ）図はカバー部１ａを内側に傾斜して形成することにより、弾性を強化した端部カバーＡ、（ｈ）図は係合片６の先端を屈曲し、間隔を有して係合爪７を複数個形成した端部カバーＡである。
【００１７】
勿論、端部カバーＡを使用できる端部材Ｄとしては、図６に示す止縁Ｃの他に図１０（ａ）、（ｂ）〜図１３（ａ）、（ｂ）に示すような出隅、入隅、ジョイナ、止縁Ｃにも使用できるものである。
【００１８】
図１４は改修すべき従来の構造のその他の例を示すものであり、２ヶ所にシーリング材Ｅを形成したものである。この場合には、乾式壁材Ｂと止縁Ｃ間に形成されたシーリング材Ｅを除去してから、図２、図３、図１に示すような順序で施工するものである。勿論、新築時に本発明に係る端部カバー構造を形成し、経時変化による乾式壁材Ｂの凸状変形を防止することができるものである。
【００１９】
【発明の効果】
上述したように本発明に係る端部カバー構造によれば、（１）乾式壁材を脳天打ちした固定具の釘頭が外装面に露出しない。（２）乾式壁材の化粧面と接する当接片、および固定具が、乾式壁材端部の変形、特に合成樹脂発泡体を芯材としたサンドイッチ板では凸状の変形を確実に抑制、固定でき、耐風圧性も向上する。（３）固定具と端部カバーが、乾式壁材の凸状により形成された止縁と乾式壁材間の空隙を小さくするので、雨水が下地内部にまで浸入することが無い。（４）乾式壁材を張り替えなくても凸状の補正が可能である。（５）固定具の頭部を隠蔽する側面化粧面が常時弾性を発揮し、端部カバーと乾式壁材間に間隙が形成されることが無く、防水性、納まり（美感性）が良い。（６）新築時に形成すれば、経時変化による凸状の変形を確実に防止できる。等の特徴、効果がある。
【図面の簡単な説明】
【図１】本発明に係る端部カバー構造の代表例を示す説明図である。
【図２】本発明に係る端部カバー構造の施工状態を示す説明図である。
【図３】本発明に係る端部カバー構造の施工順序を示す説明図である。
【図４】本発明に係る端部カバー構造の施工順序を示す説明図である。
【図５】本発明で使用する乾式壁材を示す断面図である。
【図６】本発明に係る端部カバー構造に使用する止縁を示す断面図である。
【図７】本発明で使用する乾式壁材の施工状態を示す断面図である。
【図８】本発明に係る端部カバー構造のその他の実施例を示す説明図である。
【図９】本発明で使用する乾式壁材のその他の実施例を示す断面図である。
【図１０】本発明に係る端部カバー構造に使用できる端部材のその他の実施例を示す断面図である。
【図１１】本発明に係る端部カバー構造に使用できる端部材のその他の実施例を示す断面図である。
【図１２】本発明に係る端部カバー構造に使用できる端部材のその他の実施例を示す断面図である。
【図１３】本発明に係る端部カバー構造に使用できる端部材のその他の実施例を示す断面図である。
【図１４】従来例を示す説明図である。
【図１５】従来例を示す説明図である。
【符号の説明】
Ａ  端部カバー
Ｂ  乾式壁材
Ｃ  止縁
Ｃ1   当接片
Ｃ2   カバー空間
Ｄ  端部材
Ｄ1   当接片
Ｄ2   カバー空間
Ｅ  シーリング材
α  壁下地
β  固定具
β1   頭部
γ  軒天
ａ  間隙
１  化粧面
１ａ  カバー部
２  側面化粧面
３  当接面
４  側面化粧面
５  係合部
６  係合片
７  係合爪
８  表面材
８ａ  化粧面
９  裏面材
１０  芯材
１１  雄型連結部
１２  雌型連結部
【図１】
0003818330.tif 000002
【図２】
0003818330.tif 000003
【図３】
0003818330.tif 000004
【図４】
0003818330.tif 000005
【図５】
0003818330.tif 000006
【図６】
0003818330.tif 000007
【図７】
0003818330.tif 000008
【図８】
0003818330.tif 000009
【図９】
0003818330.tif 000010
【図１０】
0003818330.tif 000011
【図１１】
0003818330.tif 000012
【図１２】
0003818330.tif 000013
【図１３】
0003818330.tif 000014
【図１４】
0003818330.tif 000015
【図１５】
0003818330.tif 000016